(57)【要約】  【課題】  母親等の左右の肩に掛ける左右一対の肩ベルトと、幼児を保持する保持部とを備えた抱っこ紐が、知られている。しかしながら、上述された従来の抱っこ紐に関しては、紐が切れやすいことがある。  【解決手段】  立体的に輪状の帯紐３１０および３２０を２本交叉させてなる抱っこ紐であって、２本の帯紐３１０および３２０は互いに接合されている抱っこ紐３００である。【選択図】  図１
2020110571.tif 000002
【特許請求の範囲】
【請求項１】
立体的に輪状の帯紐を２本交叉させてなる抱っこ紐であって、
前記２本の帯紐は互いに接合されていることを特徴とする抱っこ紐。
【請求項２】
前記帯紐は折り畳まれており、使用時に背中側で交叉される背中側交叉部分では折り畳まれた状態で、前記２本の帯紐が互いに接合され、その他の部分は開くことが出来る、請求項１記載の抱っこ紐。
【請求項３】
前記輪状の帯紐は、途中で捻られている、請求項２記載の抱っこ紐。
【請求項４】
前記輪状の帯紐の前記折り畳まれた状態は、途中で折り畳まれかたが逆になっている請求項３記載の抱っこ紐。
【請求項５】
前記輪状の帯紐は、使用時に背中側で交叉される背中側交叉部分では、帯の両方の端縁が内側へ巻き込まれた状態で縫合されている、請求項１記載の抱っこ紐。
【発明の詳細な説明】
【技術分野】
【０００１】
本発明は、たとえば、母親が赤ちゃんを抱くときに使用される抱っこ紐に関する。
【背景技術】
【０００２】
母親等の左右の肩に掛ける左右一対の肩ベルトと、幼児を保持する保持部とを備えた抱っこ紐が、知られている（たとえば、特許文献１参照）。
【先行技術文献】
【特許文献】
【０００３】
【特許文献１】特開２０１３−１１６１６６号公報
【発明の概要】
【発明が解決しようとする課題】
【０００４】
しかしながら、上述された従来の抱っこ紐に関しては、紐が切れやすいことがある。
【０００５】
より具体的には、本発明者は、紐は縫付け部分で切れやすく、紐が切れると赤ちゃんが下へ落ちる恐れがあることに気付いた。
【０００６】
本発明は、上述された従来の課題を考慮し、紐が切れる恐れを低減することができる抱っこ紐を提供することを目的とする。
【課題を解決するための手段】
【０００７】
第１の本発明は、立体的に輪状の帯紐を２本交叉させてなる抱っこ紐であって、
前記２本の帯紐は互いに接合されていることを特徴とする抱っこ紐である。
【０００８】
第２の本発明は、前記帯紐は折り畳まれており、使用時に背中側で交叉される背中側交叉部分では折り畳まれた状態で、前記２本の帯紐が互いに接合され、その他の部分は開くことが出来る、第１の本発明の抱っこ紐である。
【０００９】
第３の本発明は、前記輪状の帯紐は、途中で捻られている、第２の本発明の抱っこ紐である。
【００１０】
第４の本発明は、前記輪状の帯紐の前記折り畳まれた状態は、途中で折り畳まれかたが逆になっている第３の本発明の抱っこ紐である。
【００１１】
第５の本発明は、前記輪状の帯紐は、使用時に背中側で交叉される背中側交叉部分では、帯の両方の端縁が内側へ巻き込まれた状態で縫合されている、第１の本発明の抱っこ紐である。
【発明の効果】
【００１２】
本発明により、紐が切れる恐れを低減することが可能な抱っこ紐を提供することができる。
【図面の簡単な説明】
【００１３】
【図１】本発明における実施の形態の使用時の抱っこ紐の模式的な斜視図（その一）
【図２】本発明における実施の形態の使用時の抱っこ紐の模式的な斜視図（その二）
【図３】本発明における実施の形態の抱っこ紐の模式的な部分斜視図
【図４】本発明における第１の変形例の実施の形態の使用時の抱っこ紐の模式的な斜視図（その一）
【図５】本発明における第１の変形例の実施の形態の使用時の抱っこ紐の模式的な斜視図（その二）
【図６】（ａ）本発明における第１の変形例の実施の形態の抱っこ紐の模式的な部分斜視図、（ｂ）本発明における第１の変形例の実施の形態の抱っこ紐の模式的な拡大部分斜視図
【図７】本発明における第２の変形例の実施の形態の使用時の抱っこ紐の模式的な斜視図（その一）
【図８】本発明における第２の変形例の実施の形態の使用時の抱っこ紐の模式的な斜視図（その二）
【図９】（ａ）本発明における第２の変形例の実施の形態の抱っこ紐の帯紐の模式的な斜視図（その一）、（ｂ）本発明における第２の変形例の実施の形態の抱っこ紐の帯紐の模式的な斜視図（その二）、（ｃ）本発明における第２の変形例の実施の形態の抱っこ紐の帯紐の模式的な斜視図（その三）、（ｄ）本発明における第２の変形例の実施の形態の抱っこ紐の模式的な拡大部分斜視図
【図１０】本発明における第３の変形例の実施の形態の使用時の抱っこ紐の模式的な斜視図
【発明を実施するための形態】
【００１４】
以下、図面を参照しながら、本発明における実施の形態について詳細に説明する。
【００１５】
はじめに、図１および２を参照しながら、本実施の形態の抱っこ紐３００について具体的に説明する。
【００１６】
ここに、図１および２は、本発明における実施の形態の使用時の抱っこ紐３００の模式的な斜視図（その一および二）である。
【００１７】
図１においては母親１００および赤ちゃん２００が示されているが、図２においては母親１００が示されていない。図１においては輪状の帯紐３１０が輪状の帯紐３２０の内側に配置されているが、図２においては輪状の帯紐３２０が輪状の帯紐３１０の内側に配置されている。
【００１８】
以下同様であるが、図面における構成要素は実施の形態の多様性なども考慮して示されている。たとえば、本質的な構成がより理解しやすくなるように、いくつかの構成要素は図面において示されていないこともあるし透視的にまたは省略的に示されていることもある。
【００１９】
ライン３１１および３１２、背中側交叉部分３１３、肩接触部分３１４、ならびに胸元側交叉部分３１５を有する帯紐３１０の構成は、ライン３２１および３２２、背中側交叉部分３２３、肩接触部分３２４、ならびに胸元側交叉部分３２５を有する帯紐３２０の構成と類似している。このため、帯紐３１０の構成についてのみ説明し、帯紐３２０の構成については説明しないことがある。
【００２０】
本実施の形態の抱っこ紐３００は、立体的に輪状の帯紐３１０および３２０を２本交叉させてなる抱っこ紐であって、２本の帯紐３１０および３２０は互いに接合されている。
【００２１】
２本の帯紐３１０および３２０は、使用時に母親１００の背中側で交叉される背中側交叉部分３１３および３２３で互いに接合されている。胸元側交叉部分３１５および３２５は、全開部分である。
【００２２】
図１および２において示されたこのような構成の効果としては、布である帯紐３１０および３２０のそれぞれは輪状になっているので、紐が切れる恐れがほとんどない。言うまでもなく、立体的に輪状の帯紐３１０および３２０は互いに接合されているので、紐が完全に切れてはいないが、たとえば、布の糸がほつれたときにも、赤ちゃんが下へ落ちる恐れを低減することができる。
【００２３】
そして、帯紐３１０および３２０のそれぞれが輪状になっているので、水平方向に縫付けられた腰紐部が肩紐部と一体的に構成されていない構成と比較すると、上向きの力による肩接触部分３１４および３２４のずれが生じにくい。これは、肩側への上向きの力と、このような上向きの力に拮抗する対角側の腰側への下向きの力と、が均等に引合い、赤ちゃん２００が支えられるからである。
【００２４】
そして、２本の帯紐３１０および３２０は互いに接合されているので、帯紐３１０および３２０の望ましくない縒れが生じにくいのみならず、母親１００が抱っこ紐３００の着脱方法を理解することができずに戸惑う恐れもほとんどない。
【００２５】
帯紐３１０および３２０は折り畳まれており、使用時に背中側で交叉される背中側交叉部分３１３および３２３では折り畳まれた状態で、２本の帯紐３１０および３２０が互いに接合され、その他の部分は開くことが出来てもよい。
【００２６】
図３を主として参照しながら、このような構成についてより具体的に説明すると、つぎの通りである。
【００２７】
ここに、図３は、本発明における実施の形態の抱っこ紐３００の背中側交叉部分３１３近傍の模式的な部分斜視図である。
【００２８】
図３においては、帯紐３１０は背中側交叉部分３１３では折り畳まれており、背中側交叉部分３１３の他の部分は開かれている。
【００２９】
前提として、２本の帯紐３１０および３２０の何れについても、母親１００の肩に密着する肩接触部分３１４の下側が開くようになっていることが望ましい。
【００３０】
従って、帯紐３１０および３２０を交叉させて縫うとき、帯紐３１０および３２０の何れについても、表が平らな面であり、裏が開く面であることが望ましい。
【００３１】
図３において示されたこのような構成の効果としては、帯紐３１０の両末端部は背中側交叉部分３１３において折り畳まれた状態で接合され、肩接触部分３１４は開くことができるので、母親１００の肩を開いた部分で覆っていても、折り畳まれている接合部分である背中側交叉部分３１３の絞りにより、母親１００の肩での包み込みがしっかりする。また、帯紐３１０および３２０は折り畳まれた状態で互いに接合されるので、強度が向上する。
【００３２】
輪状の帯紐３１０および３２０は、途中で捻られていてもよい。
【００３３】
図４および５を主として参照しながら、このような構成についてより具体的に説明すると、つぎの通りである。
【００３４】
ここに、図４および５は、本発明における第１の変形例の実施の形態の使用時の抱っこ紐４００の模式的な斜視図（その一および二）である。
【００３５】
図４においては母親１００および赤ちゃん２００が示されているが、図５においては母親１００が示されていない。図４においては輪状の帯紐４１０が輪状の帯紐４２０の内側に配置されているが、図５においては輪状の帯紐４２０が輪状の帯紐４１０の内側に配置されている。
【００３６】
ライン４１１および４１２、背中側交叉部分４１３、肩接触部分４１４、ならびに胸元側交叉部分４１５を有する、途中で捻られた帯紐４１０の構成は、ライン４２１および４２２、背中側交叉部分４２３、肩接触部分４２４、ならびに胸元側交叉部分４２５を有する、途中で捻られた帯紐４２０の構成と類似している。このため、帯紐４１０の構成についてのみ説明し、帯紐４２０の構成については説明しないことがある。
【００３７】
２本の帯紐４１０および４２０は、使用時に母親１００の背中側で交叉される背中側交叉部分４１３および４２３で互いに接合されている。胸元側交叉部分４１５および４２５は、全開部分である。
【００３８】
ライン３１２（図２参照）については、母親１００の肩の下側を通って赤ちゃん２００の尻を支える部分が頼りなく、その結果、赤ちゃん２００の尻の下側の部分は緩みがちであり、赤ちゃん２００の足を支える部分が頼りなくなり、母親１００の肩の下側の部分が下へずれ落ちることがある。
【００３９】
ライン３１１（図２参照）は、母親１００の肩の上側を通ってしっかりしているが、赤ちゃん２００の尻を支えることはなく、母親１００の背中から赤ちゃん２００の足の下側へ向かう。その結果、ライン３１１は、母親１００の背中を通過するだけだから、母親１００の背中では緊張せず若干ずれやすいので、赤ちゃん２００の足の部分でしっかりしないことがある。
【００４０】
このため、両方のライン３１１および３１２が頼りないことがある。
【００４１】
対照的に、ライン４１１は、母親１００の肩の上側を通るので、しっかりするのみならず、赤ちゃん２００の重量がその続きである赤ちゃん２００の尻の部分で下方へ加わるので、しっかりする。このため、その続きの赤ちゃん２００の足を支える部分も、しっかりする。つまり、母親１００の肩の上側の部分を頂点にして、ライン４１１が赤ちゃん２００の尻の重みで緊張するので、母親１００の背中の部分も赤ちゃん２００の足の部分もしっかりし、途中で捻られた帯紐４１０の輪全体に張りが出る。
【００４２】
ライン４１２は、母親１００の肩の横を通り、母親１００の背中を通って赤ちゃん２００の足の下側へ向かうので、頼りないことがあるが、ライン４１１は上述されたようにしっかりしている。
【００４３】
帯紐４１０および４２０を捻る向きは、任意である。
【００４４】
図４および５において示されたこのような構成の効果としては、赤ちゃん２００の足が下に垂れることを防止し、赤ちゃん２００の足が母親１００の体にしっかりと接触する。
【００４５】
その理由についてより具体的に説明すると、つぎの通りである。
【００４６】
まず、帯紐４１０および４２０を捻っているので、強度が向上する。
【００４７】
上述されたように、母親１００の肩の上側を通るライン４１１は、赤ちゃん２００の尻で下方へ押されるので、赤ちゃん２００が足を乗せてもしっかりと受け止め、ずれが生じにくい。そして、母親１００の肩の横に来るライン４１２は、母親１００の背中を通るので、赤ちゃん２００が足を乗せると下方へ垂れ、ずれが生じることがあるが、母親１００の肩の上側を通るライン４１１はしっかりしている。
【００４８】
使用時の捻りの箇所は、母親１００の肩より下方であることが望ましい。母親１００の背中での捻りは、あまり役にたたないことがある。
【００４９】
ライン４１１および４１２は捻りのために互いに平行ではないので、赤ちゃん２００の尻から母親１００の肩へ到達するために必要である帯紐長さの実質的な増大にともなって、帯紐４１０を短くする場合に生じる効果と等価な効果が生じ、帯紐４１０は引き締まる。
【００５０】
もちろん、帯紐３１０（図２参照）を、捻るのではなく、実際に短くしてもよい。具体的には、帯紐３１０の上端縁であるライン３１１の長さが帯紐３１０の下端縁であるライン３１２の長さよりもおよそ８センチメートル小さくなるように、帯紐３１０を短くしてもよい。すると、デザインの観点からの大きな変化は生じないにもかかわらず、帯紐３１０は、引き締まって赤ちゃん２００の足の膝裏の部分でしっかりするのみならず、赤ちゃん２００の尻の位置より高い位置で赤ちゃん２００の足を支える。
【００５１】
輪状の帯紐４１０および４２０の折り畳まれた状態は、途中で折り畳まれかたが逆になっていてもよい。
【００５２】
図６（ａ）および６（ｂ）を主として参照しながら、このような構成についてより具体的に説明すると、つぎの通りである。
【００５３】
ここに、図６（ａ）は本発明における第１の変形例の実施の形態の抱っこ紐４００の帯紐４１０近傍の模式的な部分斜視図であり、図６（ｂ）は本発明における第１の変形例の実施の形態の抱っこ紐４００の部分Ｐ近傍の模式的な拡大部分斜視図である。
【００５４】
図６（ｂ）においては、帯紐４１０は背中側交叉部分４１３では折り畳まれており、背中側交叉部分４１３の他の部分は開かれている。
【００５５】
上述されたように、帯紐３１０および３２０（図２参照）を交叉させて縫うとき、帯紐３１０および３２０の何れについても、表が平らな面であり、裏が開く面であることが望ましい。
【００５６】
これは、捻りを形成しない場合は、開く面である裏は使用時には母親１００の背中に密着して見えないからである。
【００５７】
しかしながら、より信頼性の高い赤ちゃん２００の支えを実現するための対策として帯紐４１０の捻りを形成する場合は、そのまま捻った後に帯紐４１０の両末端部を接合して輪を形成すると、接合部分である背中側交叉部分４１３の状態については、半分は裏で開く面になり、残り半分は裏で平らな面になる。
【００５８】
表で開く面は母親１００の肩を通らず母親１００の脇を通るから、問題がないとはいえる。
【００５９】
しかしながら、表で開く面が母親１００の背中で見え、背中側交叉部分４１３において、半分は開く面になり、残り半分は平らな面になるので、最初のアイディアにおけるデザインの観点からの美観は必ずしも良くない。
【００６０】
そこで、帯紐４１０の折り畳みかたを途中で入れ替えると、表は完全に平らな面であり、裏は完全に開く面である。
【００６１】
この改良的なアイディアが、デザインの観点から良い。
【００６２】
すなわち、帯紐４１０の下側が母親１００の肩で開いている状態で、母親１００の肩から赤ちゃん２００の尻へ向かう途中で捻りを形成し、赤ちゃん２００の尻を過ぎた後で母親１００の脇の近傍において畳みかたを入れ替えると、母親１００の背中の接合部分である背中側交叉部分４１３において帯紐４１０の両末端部の裏で開く面同士が対応する。
【００６３】
ただし、２本の帯紐４１０および４２０の背中で組み合わせにおいて、接合部分である背中側交叉部分４１３および４２３の何れについても表が完全に平らな面である設計は、不可能である。これは、２本の帯紐４１０および４２０が両方とも母親１００の肩を包むためには、背中側交叉部分４１３および４２３の何れについても、母親１００の背中に接触する面は裏で開く面であるべきであるからである。つまり、デザインの観点においては、捻りを形成しない場合における最初のアイディアにおける現象と類似する現象が、不可避的に生じる。
【００６４】
図６（ａ）および６（ｂ）において示されたこのような構成の効果としては、一本の帯紐４１０で輪を作るときに、捻りを形成した上で接合しても、接合部分である背中側交叉部分４１３では、開く面と開く面とが接合され、平らな面と平らな面とが接合されるので、デザインの観点からの美観が良い。
【００６５】
輪状の帯紐３１０および３２０は、使用時に背中側で交叉される背中側交叉部分３１３および３２３では、帯の両方の端縁が内側へ巻き込まれた状態で縫合されていてもよい。
【００６６】
図７、８および９（ａ）から９（ｄ）を主として参照しながら、このような構成についてより具体的に説明すると、つぎの通りである。
【００６７】
ここに、図７および８は本発明における第２の変形例の実施の形態の使用時の抱っこ紐５００の模式的な斜視図（その一および二）であり、図９（ａ）から９（ｃ）は本発明における第２の変形例の実施の形態の抱っこ紐５００の帯紐５１０の模式的な斜視図（その一から三）であり、図９（ｄ）は本発明における第２の変形例の実施の形態の抱っこ紐５００のＸ−Ｘ線断面近傍の模式的な拡大部分斜視図である。
【００６８】
図７においては母親１００および赤ちゃん２００が示されているが、図８においては母親１００および赤ちゃん２００が示されていない。図７においては輪状の帯紐５１０が輪状の帯紐５２０の内側に配置されているが、図８においては輪状の帯紐５２０が輪状の帯紐５１０の内側に配置されている。
【００６９】
抱っこ紐５００は、図７においては母親１００の胸元側から見られており、図８においては母親１００の背中側から見られている。
【００７０】
ライン５１１および５１２、背中側交叉部分５１３、肩接触部分５１４、ならびに胸元側交叉部分５１５を有する、帯の両方の端縁が内側へ巻き込まれた状態で縫合された帯紐５１０の構成は、ライン５２１および５２２、背中側交叉部分５２３、肩接触部分５２４、ならびに胸元側交叉部分５２５を有する、帯の両方の端縁が内側へ巻き込まれた状態で縫合された帯紐５２０の構成と類似している。このため、帯紐５１０の構成についてのみ説明し、帯紐５２０の構成については説明しないことがある。
【００７１】
２本の帯紐５１０および５２０は、使用時に母親１００の胸元側で交叉される胸元側交叉部分５１５および５２５で互いに接合されている。胸元側交叉部分５１５および５２５は、全開部分である。
【００７２】
２本の帯紐５１０および５２０は、全開状態が妨げられないように、赤ちゃん２００の後頭部が使用時に接触する、前側にある胸元側交叉部分５１５および５２５の略三角形状の小さな部分Ｑのみで互いに接合されている。
【００７３】
このため、赤ちゃん２００が後に反り返っても、または母親１００が前に屈んでも、赤ちゃん２００は下へずれ落ちにくい。
【００７４】
２本の帯紐５１０および５２０は、帯の両方の端縁を内側へ巻き込むことにより筒形状に細く形成されている、後側にある背中側交叉部分５１３および５２３では互いに接合されていない。
【００７５】
このため、背中側での抱っこ紐５００の可動性が向上し、母親１００が抱っこ紐５００の着脱方法を理解することができずに戸惑う恐れがほとんどない。
【００７６】
そして、母親１００が赤ちゃん２００を背負いたいときには、抱っこ紐５００をおんぶ紐として利用することが容易である。
【００７７】
もちろん、２本の帯紐５１０および５２０は、全開部分である胸元側交叉部分５１５および５２５では互いに接合されておらず、細く形成されている背中側交叉部分５１３および５２３の略四角形状の小さな部分Ｒのみで互いに接合されていてもよい。すると、布の強度が確保されやすいので、帯紐５１０および５２０が縫合されている部分に印加される強い力で裂けてしまう恐れを低減することができる。
【００７８】
帯の両方の端縁が内側へ巻き込まれた状態についてより具体的に説明すると、つぎの通りである。
【００７９】
ライン５１１の箇所Ａとライン５１２の箇所Ｂとは、図３において示された構成のように輪状の帯紐４１０の外側へ折り返されるのではなく、輪状の帯紐４１０の内側へ折り返されている。つまり、箇所Ａと箇所Ｂとは、帯紐５１０の帯の両方の端縁が内側へ巻き込まれるように、折り返されている。
【００８０】
そして、箇所Ｃと箇所Ｄとを重ね合わせることにより、縫合が行われている。
【００８１】
内側へ巻き込まれている箇所Ａと箇所Ｃとの間の部分の幅、および内側へ巻き込まれている箇所Ｂと箇所Ｄとの間の部分の幅は、何れもおよそ５センチメートルである。
【００８２】
箇所Ｃと箇所Ｄとを重ね合わせることにより縫合されている部分の長さは、およそ１６センチメートルである。
【００８３】
帯の両方の端縁を内側へ巻き込むことにより細く形成されている、箇所Ｅと箇所Ｆとの間の細くなっている部分の径は、およそ１５センチメートルである。
【００８４】
接合部分である背中側交叉部分５１３および５２３の何れについても、母親１００の背中に密着する面は完全に平らな面であり、重ね合わせられた箇所Ｃおよび箇所Ｄの部分である内側の縫合は外側に現れないので、整容性が向上し、デザインの観点からの美観が良い。
【００８５】
輪状の帯紐５１０および５２０は、使用時に背中側で交叉される背中側交叉部分５１３および５２３の下側で、補強されていてもよい。
【００８６】
図１０を主として参照しながら、このような構成についてより具体的に説明すると、つぎの通りである。
【００８７】
ここに、図１０は、本発明における第３の変形例の実施の形態の使用時の抱っこ紐６００の模式的な斜視図である。
【００８８】
図１０においては、母親１００および赤ちゃん２００が示されていない。
【００８９】
抱っこ紐６００は、図１０においては母親１００の背中側から見られている。
【００９０】
補強部材６０１は、使用時に背中側で交叉される背中側交叉部分５１３および５２３の下側へ底辺でない２辺で縫付けられた略三角形状の布である。補強部材６０１の布は帯紐３１０の布とは異なる布であってもよく、ロゴマークなどが外側に印刷されていてもよい。すると、目立ちやすい補強部材６０１は補強機能のみならず装飾機能も発揮し、デザインの観点からの美観が良い。
【産業上の利用可能性】
【００９１】
本発明における抱っこ紐は、紐が切れる恐れを低減することができ、たとえば、母親が赤ちゃんを抱くときに使用される抱っこ紐に利用する目的に有用である。
【符号の説明】
【００９２】
１００  母親
２００  赤ちゃん
３００  抱っこ紐
３１０  帯紐
３１１、３１２  ライン
３１３  背中側交叉部分
３１４  肩接触部分
３１５  胸元側交叉部分
３２０  帯紐
３２１、３２２  ライン
３２３  背中側交叉部分
３２４  肩接触部分
３２５  胸元側交叉部分
４００  抱っこ紐
４１０  帯紐
４１１、４１２  ライン
４１３  背中側交叉部分
４１４  肩接触部分
４１５  胸元側交叉部分
４２０  帯紐
４２１、４２２  ライン
４２３  背中側交叉部分
４２４  肩接触部分
４２５  胸元側交叉部分
５００  抱っこ紐
５１０  帯紐
５１１、５１２  ライン
５１３  背中側交叉部分
５１４  肩接触部分
５１５  胸元側交叉部分
５２０  帯紐
５２１、５２２  ライン
５２３  背中側交叉部分
５２４  肩接触部分
５２５  胸元側交叉部分
６００  抱っこ紐
６０１  補強部材
Ａ、Ｂ、Ｃ、Ｄ、Ｅ、Ｆ  箇所
Ｐ  部分
Ｑ  部分
Ｒ  部分
【図１】
2020110571.tif 000003
【図２】
2020110571.tif 000004
【図３】
2020110571.tif 000005
【図４】
2020110571.tif 000006
【図５】
2020110571.tif 000007
【図６】
2020110571.tif 000008
【図７】
2020110571.tif 000009
【図８】
2020110571.tif 000010
【図９】
2020110571.tif 000011
【図１０】
2020110571.tif 000012